(57)【特許請求の範囲】
【請求項１】
方形の枠体に記名板が保持された照光表示部を有し、この照光表示部は発光体を内蔵した本体に係合により着脱可能に装着される表示灯において、
前記枠体及び本体の左右両側にそれぞれ互いに係合する係合部を設け、この左右の係合部の間に一定の交差角度を持たせるとともに、前記照光表示部の枠体を本体に対して左右を反転して装着することが可能なように構成することにより、前記照光表示部の前記本体に対する上下方向の向きを前記交差角度だけ変えられるようにしたことを特徴とする表示灯。
【発明の詳細な説明】
【０００１】
【発明の属する技術分野】
この発明は、発光体の点灯又は消灯により機器や回路の状態を表示する表示灯に関する。
【０００２】
【従来の技術】
上記表示灯は一般に方形の枠体に記名板を保持した照光表示部を有し、この照光表示部は発光体を内蔵した本体の前部に係合により着脱可能に装着されている。この表示灯は通常は照光表示部の表示面が制御盤等のパネル面と平行、つまり垂直になるように取り付けられるが、表示灯の取付け位置が高所や低所の場合、表示面が垂直であると見にくくなる。そこで、そのような場合には、表示面の向きを上下に傾斜させて見やすくする表示灯が用いられる。
【０００３】
図４及び図５は、表示面の向きを変えられるようにした従来の表示灯を示す要部（表示部分）の縦断面図である。図４は表示面の向きに応じて照光表示部の枠体を交換するようにした表示灯で、図４（Ａ）は表示面を垂直にした場合（以下、「垂直取付」という。）、図４（Ｂ）は表示面を傾斜させた場合（以下、「傾斜取付」という。）である。図４（Ａ）において、照光表示部１は、方形の枠体２に前面側（図４の左側）から、記名板３が色板４と一緒に挿入保持され、その上からレンズ５が図示しない凹凸部を介して枠体２に嵌め込み固定されて構成されている。一方、本体６は方形中空体からなるフレーム７の内側に反射枠８を有し、反射枠８の内部にランプやＬＥＤからなる発光体（図示の場合はランプ）９が配置されている。枠体２及び反射枠６の上下両側には互いに係合する係合部、すなわち係合穴２ａ及び係合爪８ａがそれぞれ設けられ、照光表示部１は係合部２ａ，８ａの係合により、図示の通り本体６に着脱可能に装着されている。
【０００４】
垂直取付用の図４（Ａ）の枠体２は、表示面（レンズ５の前面）から係合穴２ａまでの距離が上下同じであり、表示面は本体６の中心軸と直交し、表示灯をパネルに取り付けたときに垂直になる。これに対して、図４（Ｂ）の傾斜取付用の枠体２は上下非対称で表示面から係合穴２ａまでの距離が上下異なり、表示面は本体６の中心軸に対する直交面から傾斜する。ところが、垂直取付と傾斜取付とで枠体２を交換する図４の表示灯は、それぞれに専用の枠体２を必要とするため、それだけ部品の種類が増え、コストアップの要因となるとともに、部品管理が面倒になる。
【０００５】
そこで、図５の従来例は同一の枠体２を用い、図５（Ａ）の垂直取付と図５（Ｂ）の傾斜取付とで照光表示部１を互いに上下反転して装着するようにしたものである。すなわち、図５において、枠体２は上下非対称で一方の側の周壁が高く、この高い側の周壁には係合部（凹部）２ａが前後２箇所に設けられ、その前方側の凹部２ａに合わせて低い側の周壁に１箇所の凹部２ａが設けられている。図５（Ａ）の垂直取付では、枠体２は前方側の凹部２ａで反射枠８の突起８ａと係合し、図５（Ｂ）の傾斜取付では照光表示部１は上下反転されるとともに、枠体２の高い側の周壁は後方側の凹部２ａで反射枠８の突起８ａと係合する。
【０００６】
【発明が解決しようとする課題】
図５の従来例では、同一の枠体２を用いて垂直取付と傾斜取付の両方に対応できるが、枠体２は上下一方の周壁が傾斜分だけ高くなるため、枠体２ひいては照光表示部１の外形が大きくなるという問題があった。また、図４及び図５の従来例は傾斜取付において、照光表示部１がいずれも下側を支点にして傾斜するため、表示面の上側が発光体９から遠くなり、その部分の照光が暗くなるという問題があった。
【０００７】
この発明は、このような問題に鑑みてなされたもので、同一の枠体を用いて垂直取付と傾斜取付の両方に対応し得るとともに、傾斜取付の場合における表示面の照光むらを抑えるようにすることを課題とするものである。
【０００８】
【課題を解決するための手段】
上記課題を解決するために、この発明は、方形の枠体に記名板が保持された照光表示部を有し、この照光表示部は発光体を内蔵した本体に係合により着脱可能に装着される表示灯において、前記枠体及び本体の左右両側にそれぞれ互いに係合する係合部を設け、この左右の係合部の間に一定の交差角度を持たせるとともに、前記照光表示部の枠体を本体に対して左右を反転して装着することが可能なように構成することにより、前記照光表示部の前記本体に対する上下方向の向きを前記交差角度だけ変えられるようにするものである。
【０００９】
請求項１において、前記係合部を前記枠体及び本体の上下方向の中心位置に形成すれば、傾斜取付において表示面を上下方向の中心位置を支点に傾斜させることができ、発光体かあの照光の偏りが抑えられて照光ムラが少なくなる。
【００１０】
【発明の実施の形態】
以下、図１〜図３に基づいて、この発明の実施の形態を説明する。ここで、図１（Ａ）は垂直取付状態の表示灯の正面図、図１（Ｂ）はそのＢ−Ｂ線に沿う要部断面図、図１（Ｃ）は同じくＣ−Ｃ線に沿う要部断面図、図１（Ｄ）は同じくＤ−Ｄ線に沿う要部断面図、図２は照光表示部の分解斜視図、図３（Ａ）は傾斜取付状態の表示灯の正面図、図３（Ｂ）はそのＢ−Ｂ線に沿う要部断面図、図３（Ｃ）は同じくＣ−Ｃ線に沿う要部断面図である。図１及び図２において、枠体２の左右両側に本体６との係合部として長穴状の係合穴２ａ及び２ｂが設けられ、また本体６の一部を構成する反射枠８の左右両側に、係合穴２ａ及び２ｂと係合する係合部として突条からなる係合爪８ａ及び８ｂが設けられている。
【００１１】
ここで、係合穴２ａは枠体２の上下中心位置に、表示面（レンズ５の前面）と平行に形成され、また係合穴２ｂは同じく枠体２の上下中心位置に、係合穴２ａとの間に一定の交差角度θ（図１）を持つように、つまり表示面に対して角度θだけ傾斜するように形成されている。一方、係合爪８ａは本体６の上下中心位置に、軸心と直交するように形成され、また係合爪８ｂも本体６の上下中心位置に、係合爪８ａとの間に一定の交差角度θを持つように、つまり中心軸との直交面に対して角度θだけ傾斜するように形成されている。その他の構成は、図４の従来例と実質的に同じである。
【００１２】
図１において、照光表示部１は、表示面に平行な係合穴２ａと本体中心軸に直交する係合爪８ａとが係合し、表示面に対して傾斜した係合穴２ｂと本体中心軸心との直交面に対して傾斜した係合爪８ｂとが係合して表示面は垂直になっている。この状態から表示面を下向きに傾斜させるには、照光表示部１を左右反転させて、表示面に平行な係合穴２ａと本体中心軸との直交面に対して傾斜した係合爪８ｂとを係合させ、表示面に対して傾斜した係合穴２ｂと本体中心軸に直交する係合爪８ａとを係合させる。これにより、図３に示すように、表示面は垂直に対して角度θだけ傾斜する。なお、照光表示部１は左右の反転により、同時に上下にも反転するので、記名板３の表示が上下非対称の場合には、照光表示部１の反転に先だって、記名板３を枠体２に対して上下反転させておく。
【００１３】
図示実施の形態によれば、照光表示部１を枠体２は同一のまま左右反転するだけで垂直取付と傾斜取付との両方に対応できる。また、係合部２ａ，２ｂ及び８ａ，８ｂを枠体２及び本体６の上下方向の中心位置に形成すれば、傾斜取付の際に照光表示部１を上下方向の中心点を支点に傾斜させることができ、その結果、下側位置を支点に傾斜する図４あるいは図５の従来例と比べて表示面の上側の発光体９に対する位置関係の変化が半減し、その分、照光ムラが減少する。なお、図示実施の形態では、左右の係合部の一方を表示面に平行に形成したが、表示面に対する係合部の角度は図示例に限定されず、例えば一方の係合部を表示灯本体の中心軸に平行に形成することも可能である。また、照光表示部は本体の反射枠に係合させたが、反射枠を省いてフレームの内側に反射膜（塗装など）を形成したものもあり、その場合には照光表示部はフレームに係合させる。
【００１４】
【発明の効果】
以上の通り、この発明によれば、照光表示部を本体に傾斜させて装着するための専用の枠体を用意する必要がなくなり、部品管理の簡素化とコストダウンが図れるとともに、傾斜取付の場合にも照光表示部を発光体に対して上下対称に傾斜させることができ、表示面の照光ムラが抑えられる。
【図面の簡単な説明】
【図１】この発明の実施の形態を示し、（Ａ）は垂直取付状態の表示灯の正面図、（Ｂ）はそのＢ−Ｂ線に沿う要部断面図、（Ｃ）は同じくＣ−Ｃ線に沿う要部断面図、（Ｄ）は同じくＤ−Ｄ線に沿う要部断面図である。
【図２】図１における照光表示部の分解斜視図である。
【図３】図１の表示灯の傾斜取付状態を示し、（Ａ）は正面図、（Ｂ）はそのＢ−Ｂ線に沿う要部断面図、（Ｃ）は同じくＣ−Ｃ線に沿う要部断面図である。
【図４】従来例を示し、（Ａ）は垂直取付状態の表示灯の要部縦断面図、（Ｂ）は傾斜取付状態の表示灯の要部縦断面図である。
【図５】異なる従来例を示し、（Ａ）は垂直取付状態の表示灯の要部縦断面図、（Ｂ）は傾斜取付状態の表示灯の要部縦断面図である。
【符号の説明】
１    照光表示部
２    枠体
２ａ  係合穴
２ｂ  係合穴
３    記名板
４    色板
５    レンズ
６    本体
７    フレーム
８    反射枠
８ａ  係合爪
８ｂ  係合爪
９    発光体
【図１】
0004004031.tif 000002
【図２】
0004004031.tif 000003
【図３】
0004004031.tif 000004
【図４】
0004004031.tif 000005
【図５】
0004004031.tif 000006